(57)【要約】【課題】  簡単、迅速かつ安価に授乳室を設置できるとともに、当該授乳室内のスペースを有効利用することができる設置型授乳室を提供する。【解決手段】  所望の場所に設置可能な設置型授乳室１であって、内部に個室空間２ａを有する授乳室本体２と、授乳室本体２の出入口２ｂに開閉自在に設けられる開閉ドア３と、個室空間２ａ内に設けられる授乳用イス４と、を有し、授乳用イス４の下部には、季節に応じて暖房器具および冷房器具を収納可能な収納空間が設けられている。【選択図】  図１
0003232751.tif 000002
【実用新案登録請求の範囲】
【請求項１】
所望の場所に設置可能な設置型授乳室であって、
内部に個室空間を有する授乳室本体と、
前記授乳室本体の出入口に開閉自在に設けられる開閉ドアと、
前記個室空間内に設けられる授乳用イスと、を有し、
前記授乳用イスの下部には、季節に応じて暖房器具および冷房器具を収納可能な収納空間が設けられている、設置型授乳室。
【請求項２】
前記個室空間内には、内部に収納空間を有するスツールが設けられている、請求項１に記載の設置型授乳室。
【請求項３】
前記個室空間内には、人体に悪影響を及ぼさない波長範囲内の紫外光を照射する紫外線殺菌装置が備えられている、請求項１または請求項２に記載の設置型授乳室。
【請求項４】
前記授乳室本体の外側面には、使用中であることを室外の人に認識させるためのサイン照明が設けられている、請求項１から請求項３のいずれかに記載の設置型授乳室。
【請求項５】
前記授乳室本体の天井面には、格子ルーバーが設けられている、請求項１から請求項４のいずれかに記載の設置型授乳室。
【考案の詳細な説明】
【技術分野】
【０００１】
本考案は、所望の場所に設置するだけで使用可能となる設置型授乳室に関するものである。
【背景技術】
【０００２】
従来、デパートやショッピングモール等の施設においては、当該施設内に専用の授乳室が固定的に設けられている。例えば、実用新案登録第３２０１２８６号公報には、授乳室等に設置される授乳用椅子が開示されている（特許文献１）。
【先行技術文献】
【特許文献】
【０００３】
【特許文献１】実用新案登録第３２０１２８６号公報
【考案の概要】
【考案が解決しようとする課題】
【０００４】
しかしながら、既存の施設に授乳室を新たに設けようとすると、授乳室の設計、内装工事、使用設備の設置等、非常に手間と時間とコストがかかるという課題がある。また、授乳室は、通常、限られた狭いスペースに設けられるため、必要最低限の設備しか設置されていないという課題もある。
【０００５】
本考案は、このような課題を解決するためになされたものであって、簡単、迅速かつ安価に授乳室を設置できるとともに、当該授乳室内のスペースを有効利用することができる設置型授乳室を提供することを目的としている。
【課題を解決するための手段】
【０００６】
本考案に係る設置型授乳室は、簡単、迅速かつ安価に授乳室を設置できるとともに、当該授乳室内のスペースを有効利用するという課題を解決するために、所望の場所に設置可能な設置型授乳室であって、内部に個室空間を有する授乳室本体と、前記授乳室本体の出入口に開閉自在に設けられる開閉ドアと、前記個室空間内に設けられる授乳用イスと、を有し、前記授乳用イスの下部には、季節に応じて暖房器具および冷房器具を収納可能な収納空間が設けられている。
【０００７】
また、本考案の一態様として、荷物を載せたり同伴者が座れる上、授乳室内のスペースを一層有効に利用するという課題を解決するために、前記個室空間内には、内部に収納空間を有するスツールが設けられていてもよい。
【０００８】
さらに、本考案の一態様として、人体に悪影響を及ぼすこと無く個室空間内を殺菌するという課題を解決するために、人体に悪影響を及ぼさない波長範囲内の紫外光を照射する紫外線殺菌装置が備えられていてもよい。
【０００９】
また、本考案の一態様として、設置型授乳室が使用中か否かを一目で確認するという課題を解決するために、前記授乳室本体の外側面には、使用中であることを室外の人に認識させるためのサイン照明が設けられていてもよい。
【００１０】
さらに、本考案の一態様として、設置型授乳室内の通風性および採光性を向上するという課題を解決するために、前記授乳室本体の天井面には、格子ルーバーが設けられていてもよい。
【考案の効果】
【００１１】
本考案によれば、簡単、迅速かつ安価に授乳室を設置できるとともに、当該授乳室内のスペースを有効利用することができる。
【図面の簡単な説明】
【００１２】
【図１】本考案に係る設置型授乳室の一実施形態を示す正面図である。
【図２】本実施形態の設置型授乳室の左側面図である。
【図３】本実施形態の設置型授乳室の平面図である。
【図４】図１におけるＡ−Ａ線断面図である。
【図５】図１におけるＢ−Ｂ線断面図である。
【図６】図２におけるＣ−Ｃ線断面図である。
【図７】図２におけるＤ−Ｄ線断面図である。
【図８】図１におけるＥ−Ｅ線断面図である。
【考案を実施するための形態】
【００１３】
以下、本考案に係る設置型授乳室の一実施形態について図面を用いて説明する。
【００１４】
本実施形態の設置型授乳室１は、所望の場所に設置可能な設置型授乳室１であって、図１から図８に示すように、主として、内部に個室空間２ａを有する授乳室本体２と、授乳室本体２の出入口２ｂに開閉自在に設けられる開閉ドア３と、個室空間２ａ内に設けられる授乳用イス４と、個室空間２ａ内に設けられるスツール５と、を有している。以下、各構成について説明する。
【００１５】
授乳室本体２は、内部に授乳者が授乳等するための個室空間２ａを有するものである。本実施形態において、授乳室本体２は、複数枚の板材が略箱状に接合されて構成されている。そして、正面側の板材における略右半分には、授乳者が個室空間２ａに出入りするための出入口２ｂが長方形状に開口されている。なお、出入口２ｂの配置は、上記構成に限定されるものではなく、正面側の板材における略左半分に設けられていてもよい。
【００１６】
また、本実施形態において、個室空間２ａ内には、図４から図６に示すように、人体に悪影響を及ぼさない波長範囲内の紫外光を照射する紫外線殺菌装置６が設けられている。具体的には、人体に悪影響を及ぼすことが無く、殺菌効果やウイルスの不活化効果がある紫外光として、波長範囲が200〜230nmであるものが選択されている。なお、紫外線殺菌装置６の配置は適宜変更してもよい。
【００１７】
また、本実施形態において、授乳室本体２の正面には、図１に示すように、授乳室本体２の外側面等に設けられたスイッチ７によってオンオフ可能であって、使用中であることを室外の人に認識させるためのサイン照明８が設けられている。さらに、授乳室本体２の天井面には、図３に示すように、通風性や採光性の高い格子ルーバー９が設けられている。なお、スイッチ７やサイン照明８の配置は、上記構成に限定されるものではなく、適宜変更してもよい。
【００１８】
開閉ドア３は、授乳室本体２の出入口２ｂに開閉自在に設けられるものである。本実施形態において、開閉ドア３は、出入口２ｂの上端縁部に設けられたハンガーレール（図示せず）に吊り下げられ、左右方向にスライド可能な引戸によって構成されている。また、本実施形態において、開閉ドア３は内側からロック可能に構成されている。
【００１９】
授乳用イス４は、授乳者が座ったり、おむつ替えする赤ちゃんを載置するものである。本実施形態において、授乳用イス４は、図４および図６から図８に示すように、授乳室本体２の内面側に背もたれ４ａが配置され、授乳者が座る座面４ｂの下部に脚部４ｃが設けられている。また、脚部４ｃは、一部を開閉可能な箱状に構成されており、季節に応じて暖房器具および冷房器具を収納可能な収納空間を有している。
【００２０】
また、本実施形態において、授乳用イス４は、正面視において、個室空間２ａ内の左側に配置されており、右側に配置された出入口２ｂから出入りし易くなっている。なお、授乳用イス４の配置は、上記構成に限定されるものではなく、出入口２ｂが左側に配置される場合は、個室空間２ａ内の右側に配置されていてもよい。すなわち、出入口２ｂとは反対側に授乳用イス４を設置することが好ましい。
【００２１】
スツール５は、荷物を載せたり同伴者が座るためのものである。本実施形態において、スツール５は、図５，図６および図８に示すように、略立方体形状に形成されており、内部に収納空間を有している。なお、本実施形態において、スツール５は、授乳者の邪魔にならないように、個室空間２ａ内の右側奥部に配置されているが、個室空間２ａ内にベビーカー等を入れるスペースを必要とする場合には設けなくてもよい。
【００２２】
また、授乳用イス４の収納空間や、スツール５の収納空間は、設置型授乳室１の管理者サイドでのみ利用できるように、開閉部分をロック可能に構成することが好ましい。これにより、授乳者が忘れ物をしたり、暖房器具や冷房器具が盗難に遭うおそれが低減する。
【００２３】
なお、本実施形態では、上記構成の他に、授乳用イス４に隣接されたテーブル１０、個室空間２ａ内を明るくするＬＥＤ（Light Emitting Diode）の間接照明１１、個室空間２ａ内の右側内面に設けられたミラー１２等、ユーザーの使い勝手を良くする各種の設備が備えられている。
【００２４】
つぎに、本実施形態の設置型授乳室１の作用について説明する。
【００２５】
本実施形態の設置型授乳室１は設置するだけで直ちに使用可能となるため、簡単、迅速かつ安価に授乳室が所望の場所に設置される。つぎに、本実施形態の設置型授乳室１を用いて授乳する場合、授乳者はまず、授乳室本体２の正面に設けられたサイン照明８を確認する。これにより、設置型授乳室１が使用中か否かが一目で確認される。サイン照明８が消灯していれば使用中ではないため、授乳者は開閉ドア３を開き、出入口２ｂから授乳室本体２内の個室空間２ａに入る。
【００２６】
このとき、授乳者が授乳室本体２の外側面等に設けられたスイッチをオンにすると、外側のサイン照明８が点灯する。これにより、設置型授乳室１が使用中であることを室外の人に認識させられるため、落ち着いて利用することができる。個室空間２ａ内では、紫外線殺菌装置６が人体に悪影響を及ぼさない紫外光を常時照射し、殺菌やウイルスを不活化する。このため、赤ちゃんにも安心で安全な室内環境を提供できる。
【００２７】
また、個室空間２ａ内では、夏期であれば扇風機やミニクーラー等の冷房器具を設置し、冬期であればヒーター等の暖房器具を設置する。これにより、授乳者は個室空間２ａ内を好みの温度に調節でき、快適に過ごすことができる。また、授乳用イス４の下部に設けられた収納空間に、季節に応じて冷房器具および暖房器具を収納できるため、個室空間２ａ内のスペースを有効利用できる上、設置型授乳室１から取り出して倉庫等に保管する必要がない。
【００２８】
また、本実施形態では、個室空間２ａ内にスツール５が設置されているため、荷物を載せたり同伴者を座らせることができる。また、スツール５の内部にも収納空間があるため、予備の備品等を収納することで、個室空間２ａ内のスペースが一層有効に利用される。
【００２９】
また、本実施形態において、授乳用イス４は出入口２ｂとは反対側に設置されているため、出入口２ｂ側のスペースが自由な空間となる。このため、授乳の準備やおむつ交換の準備がし易く、ベビーカーを出し入れする場合もスムーズに行われる。さらに、本実施形態では、授乳室本体２の天井面に設けられた格子ルーバー９が、通風性および採光性を向上するため、個室空間２ａ内を快適な環境に保持する。
【００３０】
以上のような本実施形態の設置型授乳室１によれば、以下のような効果を奏する。
１．簡単、迅速かつ安価に授乳室を設置できるとともに、当該授乳室内のスペースを有効利用することができる。
２．スツール５に荷物を載せたり同伴者が座れる上、授乳室内のスペースを一層有効に利用することができる。
３．人体に悪影響を及ぼすこと無く個室空間２ａ内を殺菌することができる。
４．設置型授乳室１が使用中か否かを一目で確認することができる。
５．設置型授乳室１内の通風性および採光性を向上することができる。
【００３１】
なお、本考案に係る設置型授乳室１は、上述した本実施形態に限定されるものではなく、適宜変更することができる。例えば、上述した本実施形態では、設置型授乳室１に、スツール５、紫外線殺菌装置６、スイッチ７、サイン照明８および格子ルーバー９、テーブル１０、間接照明１１およびミラー１２が設けられていたが、これらは必須の構成ではなく、適宜省略してもよい。
【符号の説明】
【００３２】
１  設置型授乳室
２  授乳室本体
２ａ  個室空間
２ｂ  出入口
３  開閉ドア
４  授乳用イス
４ａ  背もたれ
４ｂ  座面
４ｃ  脚部
５  スツール
６  紫外線殺菌装置
７  スイッチ
８  サイン照明
９  格子ルーバー
１０  テーブル
１１  間接照明
１２  ミラー
【図１】
0003232751.tif 000003
【図２】
0003232751.tif 000004
【図３】
0003232751.tif 000005
【図４】
0003232751.tif 000006
【図５】
0003232751.tif 000007
【図６】
0003232751.tif 000008
【図７】
0003232751.tif 000009
【図８】
0003232751.tif 000010